(57)【特許請求の範囲】
【請求項１】
それぞれ順に上端シール部、頂部、側壁部、底部とからなる背部シールパネル、左側面パネル、正面パネル、右側面パネル、裏面パネルとを順に折り目線を介して連設した板紙を基材とするブランク板で製箱した頂部が平面状で立方体又は直方体状の液体用紙容器において、前記ブランク板の左側面パネルと右側面パネルとの上端シール部の端縁部に、それぞれ、上端シール部の中央に設けられた折り目線に対して左右対称な位置に二つの開封用切欠きを設け、これらの開封用切欠きの下方の上端シール部の端縁部に、縦の短いカット線を細かいピッチで横方向に並列して設けたカット線部を設け、且つ、上端シール部と頂部とに連続する前記中央の折り目線に左右対称なＵ字状で、外側層フィルム層を貼り合わせた板紙層にカット線を形成したのち、板紙層の下方に内側積層フィルム層を貼り合わせて形成したハーフカット線を、前記カット線部を通過させて前記二つの開封用切欠きに先端を接続したことを特徴とする易開封型液体用紙容器。
【発明の詳細な説明】
【０００１】
【産業上の利用分野】
本発明は、牛乳、調味料、果汁飲料、台所洗剤などの液体状内容物に用いられる液体用紙容器に関するもので、詳しくは、使用時に、使用者が、頂部を指だけで開封し易い易開封型液体用紙容器に関するものである。
【０００２】
【従来の技術】
板紙を基材とし、この基材に合成樹脂フィルムや金属箔などを積層した積層材料を用いて、ブランク板を作製し、このブランク板を製箱して、頂部が平面状で立方体又は直方体状の液体用紙容器を作製し、この液体用紙容器に液体状内容物を充填したものが、従来から、食品分野に広く使用されており、最近では、非食品分野にも多く使用されるようになってきた。使用時に、これらの容器を開封するには、両側の側壁に仮接着されている三角状の頂部を剥がし、これらの三角状の頂部の先端部を鋏で切断するか、又は、前もって三角状の頂部の切断部に、Ｖ字状の開封用切欠きと、この切欠きと接続するハーフカット線とを積層材料に後加工して形成し、使用時に鋏などの他の道具を用いずに、指だけで開封可能にしていた。
【０００３】
【発明が解決しようとする課題】
しかしながら、前述の鋏を用いて開封する方法は、使用時に他の道具の鋏を必要とし、また、前もってＶ字状の開封用切欠きと後加工によるハーフカット線とを切断部に形成しておく方法は、通常の加工誤差が０±０．１５ｍ／ｍ  あるため、Ｖ字状の開封用切欠きとハーフカット線の先端の接続が、図３に示すように、開封用切欠き（３０）の先端（ｆ）とハーフカット線（２０）の先端（ｑ）とが離れて接続している場合があり、開封時に、引き裂こうとする力が開封用切欠きの先端（ｐ）に集中することから、ハーフカット線が引き裂きにくい場合があった。また、図４（ａ）に示すように、ハーフカット線（２０）の切り込み深さが、板紙層（１０２）の適切な位置まで達している場合には、開封時にハーフカット線が切り裂き易く、また、流通や保管時に液漏れなどの問題は発生しないが、図４（ｂ）に示すように、ハーフカット線（２０）が浅い場合には、開封時にハーフカット線が切り裂きにくい問題があり、また、図４（ｃ）に示すように、ハーフカット線（２０）が積層フィルム層まで深く達している場合には、ハーフカット線が切れ易く、流通や保管時に内容物の液漏れなどの事故を発生すことがあった。
【０００４】
本発明は、上述の従来の液体用紙容器の問題を解決したものであり、使用時に、他の道具を使用することなく指だけで開封し易く、しかも流通や保管時に内容物の液漏れなどの危惧がない易開封型液体用紙容器を提供するものである。
【０００５】
【課題を解決するための手段】
本発明は、図１（ａ）に示すように、それぞれ順に上端シール部（Ａ）、頂部（Ｂ）、側壁部（Ｃ）、底部（Ｄ）とからなる背部シールパネル（１１０）、左側面パネル（１２０）、正面パネル（１３０）、右側面パネル（１４０）、裏面パネル（１５０）とを順に折り目線（１０）を介して連設した板紙を基材とするブランク板（１００）で製箱した頂部が平面状で立方体又は直方体状の液体用紙容器において、前記ブランク板（１００）の左側面パネル（１２０）と右側面パネル（１４０）との上端シール部（Ａ）の端縁部に、それぞれ上端シール部（Ａ）の中央に設けられた折り目線に対して左右対称な位置に二つの開封用切欠き（３０）を設け、これらの開封用切欠き（３０）の下方の上端シール部（Ａ）の端縁部に、図１（ｂ）に示すように、縦の短いカット線を細かいピッチで横方向に並列して設けたカット線部（３１）を設け、且つ、上端シール部（Ａ）と頂部（Ｂ）とに連続する前記中央の折り目線に左右対称なＵ字状で、図１（ｃ）に示すように、外側層フィルム層（１０１）を貼り合わせた板紙層（１０２）にカット線を形成したのち、板紙層（１０２）の下方に内側積層フィルム層（１０３）を貼り合わせて形成したハーフカット線（２０）を、前記カット線部（３１）を通過させて前記二つの開封用切欠き（３０）に先端を接続したことを特徴とする図２（ａ）に示す易開封型液体用紙容器（１）である。
【０００６】
上述のブランク板は、板紙層を基材として、この基材に各種のラミネート加工法によって、外側に例えばポリエチレンなどの外側層フィルムを貼り合わせ、また、内側に例えばポリエチレン層、アルミニウム箔層、ポリエチレンテレフタレート層などを積層した内側積層フィルムを貼り合わせものである。
【０００７】
また、カット線部を構成する縦の短いカット線の長さは、通常、０．５〜１．５ｍ／ｍ  程度で、並列するカット線のピッチは、０．４〜１．３ｍ／ｍ  程度であり、カット線を形成する幅は、印刷誤差と加工誤差とを考慮して２〜４ｍ／ｍ  程度である。
【０００８】
【作用】
本発明の易開封型液体用紙容器においては、開封用切欠きの下方の上端シール部の端縁部に、カット線を細かいピッチで横方向に並列したカット線部が設けられ、また、このカット線部を通過してハーフカット線が開封用切欠きに接続しているため、開封時に、開封用切欠きに手の指で引き裂き力を加えると、カット線部に並列したカット線のうち、ハーフカット線に一番近いカット線が、変形して開き易いため、引き裂き力が集中し、この集中した引き裂き力によってハーフカット線が切断して行く。この結果、開封用切欠きとハーフカット線との加工時の位置誤差が吸収される。
【０００９】
また、ハーフカット線は、外側層フィルム層を貼り合わせた板紙層にカット線を形成したのち、板紙層の下方に内側積層フィルム層を貼り合わせて形成していつため、ハーフカット線の引き裂き強さにむらがなく安定する。
【００１０】
【実施例】
まず、坪量が２８０ｇ／ｍ２  の板紙の上側に、押出しラミネート加工法で２５μｍ厚のポリエチレン層を形成し、このポリエチレン層上に文字や絵柄を印刷し、左側面パネルと右側面パネルの上端シール部と頂部の位置に、Ｕ字状のカット線を形成し、そして、板紙の下側に、７μｍ厚アルミニウム箔層／１２μｍ厚ポリエチレンテレフタレート層／６０μｍ厚ポリエチレン層構成の積層フィルムを、押出しラミネート加工法で２５μｍ厚のポリエチレン層で貼り合わせて、図１（ｃ）に示すハーフカット線（２０）を形成した積層材料を作製した。次に、この積層材料を打抜き加工して、図１（ａ）に示すように、それぞれ順に上端シール部（Ａ）、頂部（Ｂ）、側壁部（Ｃ）、底部（Ｄ）とからなる背部シールパネル（１１０）、左側面パネル（１２０）、正面パネル（１３０）、右側面パネル（１４０）、裏面パネル（１５０）とを順に折り目線（１０）を介して連設し、左側面パネルと右側面パネルとの上端シール部の端縁部に、それぞれ上端シール部の中央に設けられた折り目線に対して左右対称な位置に二つのＵ字状の開封用切欠き（３０）を設け、これらの開封用切欠きの下方の上端シール部の端縁部に、図１（ｂ）に示すように、縦の１ｍ／ｍ  の長さのカット線を０．５ｍ／ｍ  の細かいピッチで横方向に並列して設けた３ｍ／ｍ  幅のカット線部（３１）を設け、上端シール部と頂部とに連続する中央の折り目線に左右対称なＵ字状のハーフカット線（２０）の先端を、カット線部を通過させて開封用切欠きに接続させた本発明の易開封型液体用紙容器のブランク板（１００）を作製した。次に、このブランク板を充填機で製箱、内容物の充填、密封して、頂部が平面状で直方体の図２（ａ）に示す本発明の易開封型液体用紙容器（１）を作製した。
【００１１】
次に、作製した本発明の易開封型液体用紙容器を１０ケースほど、通常の流通、保管過程を経てのち、内容物の液漏れ状態を調べてみたが、液漏れを発生した容器は皆無であった。次に、図２（ｂ）に示すように、左右両側の側壁部（Ｃ）に仮接着されている三角状の頂部（Ｂ）を剥がし、これらの三角状の頂部（Ｂ）の上端シール部（Ａ）に形成されている開封用切欠き（３０）を指で引き裂くと、開封用切欠きに連続するハーフカット線（２０）が、容易に切断し、図２（ｃ）に示すように、両側の三角状の頂部の先端部が容器から切り離され、開口部（Ｇ）が形成され容器が開封した。
【００１２】
【発明の効果】
本発明の易開封型液体用紙容器は、開封用切欠きの下方の上端シール部にカット線を細かいピッチで横方向に並列したカット線部が設けられ、このカット線部を通過してハーフカット線が開封用切欠きに接続しているため、使用時には、使用者が、指で開封用切欠きからハーフカット線を容易に引き裂いて、容器を開封することができる。
【００１３】
また、外側層フィルム層を貼り合わせた板紙層にカット線を形成したのち、板紙層の下方に内側積層フィルム層を貼り合わせてハーフカット線を形成しているため、ハーフカット線の引き裂き強さにむらがなく安定しており、流通や保管時に、ハーフカット線に亀裂を生じて、内容物が液漏れするなどの危惧が極めて少ない。
【図面の簡単な説明】
【図１】（ａ）は、本発明の一例の実施例の易開封型液体用紙容器のブランクの展開平面図であり、（ｂ）は、そのブランクのＥ部分の拡大平面図であり、（ｃ）は、Ｆ部分のハーフカット線に直角方向の拡大断面図である。
【図２】（ａ）は、実施例の易開封型液体用紙容器の斜視図であり、（ｂ）は、開封のため頂部の両端を側壁部より剥がした状態を示す説明図であり、（ｃ）は、頂部の両端を切り離した状態を示す説明図である。
【図３】従来の易開封型液体用紙容器の一例のブランクのＥ部分の拡大平面図である。
【図４】従来の易開封型液体用紙容器の一例のブランクのＦ部分のハーフカット線に直角方向の拡大断面図であり、（ａ）は、ハーフカットが適正な深さの状態を示し、（ｂ）は、浅い状態を示し、（ｃ）は、深い状態を示す。
【符号の説明】
１……易開封型液体用紙容器
１０……折り目線
２０……ハーフカット線
３０……開封用切欠き
３１……カット線
１００……ブランク板
１０１……外側フィルム層
１０２……板紙層
１０３……内側積層フィルム層
１１０……背部シールパネル
１２０……左側面パネル
１３０……正面パネル
１４０……右側面パネル
１５０……裏面パネル
Ａ……上端シール部
Ｂ……頂部
Ｃ……側壁部
Ｄ……底部
Ｇ……開口部
ｐ，ｑ……先端
【図１】
0003610623.tif 000002
【図２】
0003610623.tif 000003
【図３】
0003610623.tif 000004
【図４】
0003610623.tif 000005